(57)【要約】      （修正有）【課題】撒餌の残量を検出し、内部の撒餌がなくなるまでの時間を計測し、出力することができる撒餌収容装置を提供する。【解決手段】撒餌収容装置１００は、内部に撒餌１０５を収容可能に構成された本体部１０１と、本体部１０１内に収容されている撒餌１０５の残量を検出する残量検出部１０２と、撒餌１０５が収容された本体部１０１の水中への投入時間を決定する投入時間決定部１０９と、前記投入時間から撒餌１０５の残量がなくなるまでの時間を測定する放出時間測定部１１０と、該放出時間を出力する出力部１１３と、を備えるよう構成される。【選択図】図１
2019180259.tif 000002
【特許請求の範囲】
【請求項１】
内部に撒餌を収容可能に構成された本体部と、
該本体部内に収容されている撒餌の残量を検出する残量検出部と、
該撒餌の水中への投入時間を決定する投入時間決定部と、
前記投入時間から前記撒餌の残量がなくなるまでの時間を測定する放出時間測定部と、
該放出時間を出力する出力部と、
を備える、撒餌収容装置。
【請求項２】
水深を検出する水深検出部と、前記撒餌を放出する水温を検出する水温検出部と、をさらに備え、
前記出力部は、前記撒餌の残量がなくなる際の水深と水温とを出力することを特徴とする、請求項１に記載の撒餌収容装置。
【請求項３】
前記出力部は、無線送信部を有することを特徴とする、請求項１又は２に記載の撒餌収容装置。
【請求項４】
制御部を有する電動リールに接続され、
前記出力部は、前記放出時間を含む情報を該電動リールの該制御部へ無線送信し、
該制御部は、前記放出時間の経過後電動リールの自動巻上げを開始するよう該電動リールを制御することを特徴とする、請求項１から３までのいずれか１項に記載の撒餌収容装置。
【請求項５】
表示部を有するリールに接続され、
前記出力部は、前記放出時間を含む情報を該表示部へ無線送信し、
該表示部は、前記放出時間が経過したことを示す情報を操作者へ出力することを特徴とする、請求項１から３までのいずれか１項に記載の撒餌収容装置。
【請求項６】
前記投入時間決定部は、前記電動リール又は前記リールのクラッチ操作開始時間若しくはスプール回転開始時間を検出し、
前記投入時間は、該クラッチ操作開始時間若しくはスプール回転開始時間に基づき設定されることを特徴とする、請求項４又は５に記載の撒餌収容装置。
【請求項７】
前記本体部の水中への投入の有無を検出する水中検出部をさらに備え、
前記投入時間は、前記本体部の水中への投入時間に基づき設定されることを特徴とする、請求項１から５までのいずれか１項に記載の撒餌収容装置。
【請求項８】
前記出力部は、前記本体部が水中にないときに通電され、
前記残量検出部は、前記本体部が水中にあるときに通電されることを特徴とする、請求項７に記載の撒餌収容装置。
【請求項９】
前記水中検出部は、圧力センサによる水圧を検出するよう構成される、請求項７又は８に記載の撒餌収容装置。
【請求項１０】
前記水中検出部は、一対の電極を備え、該一対の電極間における水による通電を検出するよう構成される、請求項７又は８に記載の撒餌収容装置。
【請求項１１】
撒餌の重量を測定する撒餌重量測定部と、以前の使用時における撒餌の重量と前記放出時間とを含む情報を記憶する記憶部と、前記放出時間を推定する放出時間推定部と、をさらに備え、
該放出時間推定部は、測定された前記撒餌の重量と前記情報とに基づき前記放出時間の推定値を算出することを特徴とする、請求項１から１０までのいずれか１項に記載の撒餌収容装置。
【発明の詳細な説明】
【技術分野】
【０００１】
本発明は、釣用の撒餌を収容する撒餌収容装置に関し、特に、撒餌収容装置に収容されている撒餌の残量を出力することができる撒餌収容装置に関する。
【背景技術】
【０００２】
撒餌収容装置として、内部に撒餌若しくはこませ（以下、撒餌という）を収容し、当該撒餌を水中へ放出する構成が知られている。このような撒餌収容装置では、通常ハリスを介して釣り針が取り付けられ、撒餌収容装置から放出された撒餌によって釣り針の周囲に魚をおびき寄せるよう構成される。
【０００３】
撒餌収容装置は、水中において撒餌を放出するため、水上にいる釣り人からは、撒餌収容装置内に残っている撒餌の残量を視認することができない一方で、撒餌収容装置が空にならないようにするために、撒餌収容装置に十分に撒餌が残っているタイミングで撒餌収容装置を水中から引き上げて撒餌を補充する場合がある。この場合、撒餌収容装置の引き上げ、撒餌の補充、及び撒餌収容装置の所定水深への再投入のために多くの時間を必要とする。
【０００４】
従来より、釣り人に内部の撒餌が空になったことを知らせることができる様々な撒餌収容装置が知られている。特許文献１には、釣り人のしゃくり操作ごとに所定量の撒餌を放出することができる撒餌収容装置が開示されている。当該撒餌収容装置では、これにより、釣り人はしゃくりの回数によって撒餌の残量を知ることができることが開示されている。他方、特許文献２には、容器内部の撒餌を当該容器に設けられた開口部から水中に押し出すように構成された往復動部材を有する撒餌収容装置が開示されている。当該撒餌収容装置では、釣り人が当該所定の時間が経過したときに撒餌収容装置が空になったと判断することができることが開示されている。
【先行技術文献】
【特許文献】
【０００５】
【特許文献１】特開２００２−３４５３８２号公報
【特許文献２】特開２００６−３３３７５４号公報
【発明の概要】
【発明が解決しようとする課題】
【０００６】
しかしながら、従来の撒餌収容装置では、撒餌収容装置が空になったタイミングを正確に検出することができない。特許文献１に開示の撒餌収容装置では、周囲の環境によってしゃくり１回当たりに放出される撒餌の量が変化し得るので、撒餌収容装置が空になるまでの時間を正確に推定するのは実際上困難であるという問題がある。他方、特許文献２に開示の撒餌収容装置では、往復動部材の変位速度が調節されていても、水流の影響により撒餌の放出量が変化し得るため、撒餌収容装置が空になるまでの時間を精度よく把握することは難しいという問題がある。
【０００７】
本発明は上記の事情に鑑みてなされたものであり、その目的とするところは、撒餌の残量を検出し、内部の撒餌がなくなるまでの時間を計測し、出力することができる撒餌収容装置を提供することにある。本発明のこれら以外の目的は、本明細書全体を参照することにより明らかとなる。
【課題を解決するための手段】
【０００８】
本発明の一実施形態に係る撒餌収容装置は、内部に撒餌を収容可能に構成された本体部と、該本体部内に収容されている撒餌の残量を検出する残量検出部と、該撒餌が収容された本体部の水中への投入時間を決定する投入時間決定部と、前記投入時間から前記撒餌の残量がなくなるまでの時間を測定する放出時間測定部と、該放出時間を出力する出力部と、を備えるよう構成される。
【０００９】
本発明の一実施形態に係る撒餌収容装置によれば、撒餌の残量を検出し、内部の撒餌がなくなるまでの時間を計測し、出力することで、撒餌が収容された撒餌収容装置を水中に投入する際に予め撒餌がなくなるまでの予測時間をより正確に把握することが可能となる。
【００１０】
本発明の一実施形態に係る撒餌収容装置では、水深を検出する水深検出部と、前記撒餌を放出する水温を検出する水温検出部と、をさらに備え、前記出力部は、前記撒餌の残量がなくなる際の水深と水温とを出力するように構成される。
【００１１】
本発明の一実施形態に係る撒餌収容装置の前記出力部は、無線送信部を有するよう構成される。
【００１２】
本発明の一実施形態に係る撒餌収容装置は、制御部を有する電動リールに接続され、前記出力部は、前記放出時間を含む情報を該電動リールの該制御部へ無線送信し、該制御部は、前記放出時間の経過後電動リールの自動巻上げを開始するよう該電動リールを制御するように構成される。
【００１３】
本発明の一実施形態に係る撒餌収容装置は、表示部を有するリールに接続され、前記出力部は、前記放出時間を含む情報を該表示部へ無線送信し、該表示部は、前記放出時間が経過したことを示す情報を操作者へ出力するように構成される。
【００１４】
本発明の一実施形態に係る撒餌収容装置によれば、撒餌がなくなるまでの予測時間に基づき、撒餌がなくなった撒餌収容装置を水中から効率的に回収することが可能となる。
【００１５】
本発明の一実施形態に係る撒餌収容装置は、前記投入時間決定部は、前記電動リール又は前記リールのクラッチ操作開始時間若しくはスプール回転開始時間を検出し、前記投入時間は、該クラッチ操作開始時間若しくはスプール回転開始時間に基づき設定されるよう構成される。
【００１６】
本発明の一実施形態に係る撒餌収容装置は、前記本体部の水中への投入の有無を検出する水中検出部をさらに備え、前記投入時間は、前記本体部の水中への投入時間に基づき設定されるよう構成される。
【００１７】
本発明の一実施形態に係る撒餌収容装置の前記出力部は、前記本体部が水中にないときに通電され、前記残量検出部は、前記本体部が水中にあるときに通電されるこよう構成される。
【００１８】
本発明の一実施形態に係る撒餌収容装置の前記水中検出部は、圧力センサによる水圧を検出するよう構成される。
【００１９】
本発明の一実施形態に係る撒餌収容装置の前記水中検出部は、一対の電極を備え、該一対の電極間における水による通電を検出するよう構成される。
【００２０】
本発明の一実施形態に係る撒餌収容装置は、撒餌の重量を測定する撒餌重量測定部と、以前の使用時における撒餌の重量と前記放出時間とを含む情報を記憶する記憶部と、前記放出時間を推定する放出時間推定部と、をさらに備え、該放出時間推定部は、測定された前記撒餌の重量と前記情報とに基づき前記放出時間の推定値を算出するよう構成される。
【発明の効果】
【００２１】
上記実施形態によれば、撒餌の残量を検出し、内部の撒餌がなくなるまでの時間を計測し、出力することで、撒餌が収容された撒餌収容装置を水中に投入する際に予め撒餌がなくなるまでの予測時間をより正確に把握することができる撒餌収容装置を提供することが可能となる。
【図面の簡単な説明】
【００２２】
【図１】本発明の一実施形態に係る撒餌収容装置１００を概略的に示す図
【図２】本発明の一実施形態に係る撒餌収容装置１００による投入時間等の出力方法を示すフローチャート
【図３】本発明の一実施形態に係る撒餌収容装置１００と電動リールとの協動方法を説明する模式的な図
【図４】本発明の一実施形態に係る撒餌収容装置１００による出力手段の表示方法を表すフローチャート
【図５】本発明の他の実施形態に係る撒餌収容装置１００を概略的に示す図
【図６】本発明の他の実施形態に係る撒餌１０５の重量と放出時間Ｔとの関係を示す履歴情報の例を説明する図
【図７】本発明の一実施形態に係る撒餌収容装置１００による投入時間出力方法および履歴の追加方法を表すフローチャート
【発明を実施するための形態】
【００２３】
以下、本発明の様々な実施形態を適宜図面を参照して説明する。なお、図面における共通する構成要素には同一の参照符号が付されている。
【００２４】
まず、図１を参照して、本発明の一実施形態に係る撒餌収容装置１００について説明する。図１に示す撒餌収容装置１００は、本体部１０１と、本体部１０１の上方を覆う蓋１１１と、本体部１０１の下方を覆う基底部１１２と、を備える。蓋１１１には、釣竿Ｒから伸びる道糸１０７の一端が取り付けられる。基底部１１２の下端にはハリスが取り付けられており、このハリスの先端には釣り針１０８が取り付けられる。
【００２５】
本体部１０１は、例えば、中空の円筒形状に形成され、その中空の内部空間に撒餌１０５が収容される。撒餌１０５は、集魚効果のある任意の餌であり、例えば、オキアミ、魚肉のミンチ、煎り糠、及びさなぎ粉（粉状にしたカイコの死骸）等が用いられる。本体部１０１は、例えば、合成樹脂から形成される。
【００２６】
当該本体部１０１は、水中に撒餌を放出することができるように、その内部と外部とを連通する一以上の連通孔を有する。連通孔の位置、大きさ、数は、撒餌１０５の種類、釣りの対象とする魚種、及びこれら以外の要因により、適宜設定することができる。蓋１１１が本体部１０１に対して開閉可能となるように蓋１１１を本体部１０１に取り付け、水中で蓋１１１を開くことにより撒餌１０５を水中に放出してもよい。
【００２７】
図示の撒餌収容装置１００は、投光ユニット１０２２及び受光ユニット１０２１を含む残量検出部１０２、信号処理部１０３、送信部１０４、並びに電源１０６を備える。残量検出部１０２は、蓋１１１に設けられた投光ユニット１０２２と、基底部１１２に設けられた受光ユニット１０２１とを備え、撒餌収容装置１００内における撒餌１０５の残量を検出することができる。信号処理部１０３は、後述する出力部１１３での出力に加えて、必要に応じて、残量検出部１０２により検出された撒餌１０５の残量を示す残量信号を生成し、送信部１０４は、残量信号を外部装置（図示しない）に対して送信するよう構成してもよい。
【００２８】
本発明の一実施形態に係る撒餌収容装置は、内部に撒餌１０５を収容可能に構成された本体部１０１と、該本体部１０１内に収容されている撒餌１０５の残量を検出する残量検出部１０２と、該撒餌が収容された本体部の水中への投入時間（該撒餌１０５が収容された状態の該本体部１０１を水中へ投入するタイミング）を決定する投入時間決定部１０９と、該投入時間から撒餌１０５の残量がなくなるまでの時間を測定する放出時間測定部１１０と、該放出時間を出力する出力部１１３と、を備えるよう構成される。
【００２９】
投入時間決定部１０９は、後述する方法により、撒餌１０５が本体部１０１へ収容されたタイミングを決定することができる。放出時間測定部１１０は、投入時間決定部１０９及び残量検出部１０２と接続され、撒餌１０５が本体部１０１へ収容されてから撒餌１０５の残量がなくなるまでの時間（放出時間という）を測定することができる。出力部１１３は、放出時間測定部１１０により測定された投入時間を出力するよう構成される。
【００３０】
電源１０６は、残量検出部１０２、信号処理部１０３、送信部１０４、投入時間決定部１０９、放出時間測定部１１０、出力部１１３及びこれら以外の電子部品に対して必要な電力を供給する。電源１０６は、例えば、小型のボタン電池、環境の温度差、振動、光エネルギーを電力に変換する環境発電型の電池、及びこれら以外の任意の電池であってもよい。これらの残量検出部１０２、信号処理部１０３、送信部１０４、投入時間決定部１０９、放出時間測定部１１０、出力部１１３及び電源１０６は、漏電が起きないように適切な防水処理が施されている。
【００３１】
本発明の一実施形態に係る撒餌収容装置１００によれば、撒餌１０５の残量を検出し、内部の撒餌１０５がなくなるまでの時間を計測し、出力することで、撒餌が収容された撒餌収容装置を水中に投入する際に予め撒餌がなくなるまでの予測時間を従来と比してより正確に把握することが可能となる。
【００３２】
図示しないが、本発明の一実施形態に係る撒餌収容装置１００では、水深を検出する水深検出部１１４と、撒餌１０５の放出の際の水温を検出する水温検出部１１５と、をさらに備えるよう構成される。この場合、出力部１１３は、撒餌１０５の残量がなくなる際の水深と水温とを出力するように構成される。図示しないが本発明の一実施形態に係る撒餌収容装置の出力部１１３は、外部へ出力情報を送信するための無線送信部１１６をさらに有するよう構成され得る。これにより、撒餌１０５の残量がなくなった際の水深および水温を測定することで、操作者に対して水中の環境に関する情報を知らせることができ、釣果を向上させることにつながる。
【００３３】
図１に示す受光ユニット１０２１は、基底部１１２に投光ユニット１０２２と対向するように設けられ、投光ユニット１０２２から発せされ本体部１０１の内部空間を経て伝達された光を受光するように構成される。投光ユニット１０２２は、例えば、発光ダイオード（ＬＥＤ）であり、所定の帯域の光を発することができる。投光ユニット１０２２は、水中での透過性が高く、且つ、撒餌１０５によって遮断されやすい（減衰されやすい）帯域の光を発するように構成される。投光ユニット１０２２から発せられる光は、例えば、可視光、赤外光、又はこれら以外の可視光帯域近傍の周波数帯の光であってもよい。
【００３４】
受光ユニット１０２１は、フォトダイオード等の光電変換素子を備える。この光電変換素子は、例えば、公知の硫化カドミウムセルである。受光ユニット１０２１の光電変換素子は、受光量に応じた量の電荷を発生させ、この発生させた電荷の量に応じた電気信号（例えば電圧値）を読み出して出力信号として出力することができる。受光ユニット１０２１において十分な光量の光を受光できるようにするために、投光ユニット１０２２には集光レンズを設けてもよい。また、撒餌収容装置１００の周囲からの環境光が受光ユニット１０２１に入射してノイズが発生しないようにするため、本体部１０１に光を透過しない遮光部材を取り付けたり、または、光を透過しない合成樹脂から本体部１０１を形成してもよい。
【００３５】
以上のように、受光ユニット１０２１が投光ユニット１０２２と対向するように設けられ、投光ユニット１０２２から本体部１０１の内部空間を経て伝達された光を受光するように構成されているため、本体部１０１の内部空間に残っている撒餌１０５の量が多い場合には、撒餌１０５によって投光ユニット１０２２からの光が遮断され、受光ユニット１０２１から出力される電圧が小さくなる。撒餌１０５が水中に放出されて撒餌収容装置１００内に残存する撒餌１０５の量が少なくなると、受光ユニット１０２１への入射光の光量が増え、受光ユニット１０２１から出力される電圧が大きくなる。このようにして、受光ユニット１０２１の出力によって、本体部１０１内の撒餌１０５の残量を検出することができる。
【００３６】
また、信号処理部１０３は、残量信号によって搬送波を変調して変調波を生成し、この変調波を送信部１０４から水中に送信する。残量信号の変調は、様々なアナログ変調又はデジタル変調を用いて行われる。アナログ変調を用いる場合には、残量信号は、変調前にＤ／Ａ変換される。残量信号を変調するために、公知の様々な変調方式を用いることができる。例えば、振幅変調、周波数変調、位相変調、及びこれら以外の様々な変調方式を用いることができる。
【００３７】
次に図２を参照して、本発明の一実施形態に係る撒餌収容装置１００による投入時間等の出力方法につき説明する。
【００３８】
まず、撒餌収容装置１００を準備する（ステップＳ０）。次に、撒餌１０５を撒餌収容装置１００に収容する（ステップＳ１）。撒餌１０５が収容された本体部１０１が水中へ投入されたかを検出する（ステップＳ２）。撒餌１０５は撒餌収容装置１００に収容されているが、撒餌１０５が収容された本体部１０１が水中へ投入されていない場合（ステップＳ２でＮＯの場合）、所定時間の経過後に再度確認し、当該本体部１０１が水中へ投入されるまでこれを繰り返す。撒餌１０５が収容された本体部１０１が水中へ投入された場合（ステップＳ２でＹＥＳの場合）、当該本体部１０１が水中へ投入された時点（タイミング）を投入時間（Ｔ＝０）とする。所定時間の経過後に、当該本体部１０１が水中にあるか確認する（ステップＳ４）。当該本体部１０１が水中にない場合、撒餌収容装置１００に「残量あり」の表示がなされる（ステップＳ５）。
【００３９】
一方、当該本体部１０１が水中にあるか確認し（ステップＳ４）、当該本体部１０１が水中にある場合、撒餌収容装置１００の撒餌１０５の残量がゼロになっているか確認する（ステップＳ６）。当該残量がゼロになっていない場合は、所定時間の経過後（Ｔ＝Ｔ＋１）、再度ステップＳ４およびＳ６を繰り返す。撒餌収容装置１００の撒餌１０５の残量がゼロになっているか確認し、当該残量がゼロになっている場合、その時の時間Ｔを放出時間と決定する（ステップＳ７）。その際、水深検出部１１４により水深を測定し、水温検出部１１５により水温を測定する（ステップＳ７）。次に、撒餌収容装置１００の本体部１０１が水中にあるか確認し（ステップＳ８）、水中にある場合は所定時間の経過後それを繰り返す。他方、撒餌収容装置１００の本体部１０１が水中にあるか確認し（ステップＳ８）、水中にない場合は、出力部１１３において、当該放出時間Ｔと、撒餌１０５の残量がなくなる際の水深および水温とを出力する（ステップＳ９）。なお、出力部１１３において、当該放出時間Ｔのみを出力するよう構成してもよい。また、これら以外の出力を一緒に行うよう構成しても構わない。
【００４０】
このようにして、撒餌の残量を検出し、内部の撒餌がなくなるまでの時間を計測し、出力することで、撒餌が収容された撒餌収容装置を水中に投入する際に予め撒餌がなくなるまでの予測時間をより正確に把握することができるようになる。例えば、撒餌の量を一定にしておけば、海流の急激な変化等がない限り、撒餌がなくなるまでの時間はおおむね再現性がある。したがって、内部に撒餌が無い状態で水中に収納装置１００を保持している状態を少なくすることができ、釣果の向上が期待できる。
【００４１】
次に、図３を参照して、制御部４０を備える釣竿Ｒ（電動リールという）から伸びる道糸１０７に接続された撒餌収容装置１００と、電動リールとの協動方法について説明する。図３（ａ）に示すように、本発明の一実施形態に係る撒餌収容装置１００は、制御部４０を有する電動リールに接続され、当該出力部１１３は、放出時間Ｔ１を含む情報を該電動リールの該制御部４０へ無線送信する。その後、図３（ｂ）に示すように、撒餌収容装置１００を水中へ投入してから内部の撒餌１０５がなくなるまでの時間Ｔ２を計測する。その後、図３（ｃ）に示すように、該制御部４０は、放出時間Ｔ１の経過後電動リールの自動巻上げを開始するよう該電動リールを制御する。その際、図３（ｃ）に示すように、新たに測定された放出時間Ｔ２を撒餌収容装置１００は電動リールへ送信することができる。
【００４２】
本発明の一実施形態に係る撒餌収容装置１００によれば、撒餌１０５がなくなるまでの予測時間に基づき、撒餌がなくなるであろうタイミングで撒餌収容装置を電動リールの自動巻き上げによって、水中から効率的に回収することが可能となり、操作者の負担を減らすことができる。
【００４３】
図示しないが、本発明の一実施形態に係る撒餌収容装置１００は、表示部を有するリールに接続され、出力部１１３は、放出時間を含む情報を該表示部へ無線送信し、該表示部は、放出時間が経過したことを示す情報を操作者へ出力するように構成される。ここで、当該リールは、電動リール以外のリールであってもよく、放出時間の経過を示すことができる表示部があるリールであればどのようなリールについても適用することができる。電動リール以外のリールである場合は、操作者が手動で巻き上げを行なう。この場合は、撒餌収納容器１００に表示部を設ける必要が無く、装置の小型化や低コスト化を実現できる。また、放出時間を含む情報を無線送信する受信先は、リールに限らず、表示部を有する携帯電話やコンピューター、魚群探知機であっても良い。また、スピーカー等によって音声で操作者に伝える手段であっても良い。これらの構成により、撒き餌収納容器１００に表示部を設ける必要が無くなり、装置の小型化や低コスト化、省電力化を実現できる。
【００４４】
また、図示しないが、本発明の一実施形態に係る撒餌収容装置１００における投入時間決定部１０９は、電動リール又はリールのクラッチ操作開始時間若しくはスプール回転開始時間を検出し、当該投入時間は、該クラッチ操作開始時間若しくはスプール回転開始時間に基づき設定されるよう構成されてもよい。これにより、投入時間決定部１０９を撒餌収納容器１００ではなくリール側に持たせることができ、撒餌収納容器１００の省電力化や小型化が実現できる。
【００４５】
さらに、図示しないが、本発明の一実施形態に係る撒餌収容装置１００は、本体部１０１の水中への投入の有無を検出する水中検出部をさらに備え、当該投入時間は、前記本体部の水中への投入時間に基づき設定されるよう構成されてもよい。本発明の一実施形態に係る撒餌収容装置の前記水中検出部は、圧力センサによる水圧を検出するよう構成されてもよい。また、本発明の一実施形態に係る撒餌収容装置の前記水中検出部は、一対の電極を備え、該一対の電極間における水による通電を検出するよう構成されてもよい。
【００４６】
本発明の一実施形態に係る撒餌収容装置１００の出力部１１３は、本体部１０１が水中にないときに通電され、残量検出部１０２は、前記本体部が水中にあるときに通電されるよう構成されてもよい。
【００４７】
次に図４を参照して、本発明の一実施形態に係る撒餌収容装置１００による出力手段の表示方法につき説明する。
【００４８】
まず、撒餌収容装置１００を準備する（ステップＳ１０）。次に、撒餌１０５を撒餌収容装置１００に収容する（ステップＳ１１）。撒餌１０５が収容された本体部１０１が水中へ投入されたかを検出する（ステップＳ１２）。撒餌１０５は撒餌収容装置１００に収容されているが、撒餌１０５が収容された本体部１０１が水中へ投入されていない場合（ステップＳ１２でＮＯの場合）、所定時間の経過後に再度確認し、当該本体部１０１が水中へ投入されるまでこれを繰り返す。撒餌１０５が収容された本体部１０１が水中へ投入された場合（ステップＳ１２でＹＥＳの場合）、当該本体部１０１が水中へ投入された時点（タイミング）を投入時間（Ｔ＝０）とすると共に、出力部１１３をオフにし、残量検出部１０２をオンとする（ステップＳ１３）。所定時間の経過後に、当該本体部１０１が水中にあるか確認する（ステップＳ１４）。当該本体部１０１が水中にない場合、撒餌収容装置１００に「残量あり」の表示がなされると共に、残量検出部１０２がオフにされる（ステップＳ１５）。
【００４９】
一方、当該本体部１０１が水中にあるか確認し（ステップＳ１４）、当該本体部１０１が水中にある場合、撒餌収容装置１００の撒餌１０５の残量がゼロになっているか確認する（ステップＳ１６）。当該残量がゼロになっていない場合は、所定時間の経過後（Ｔ＝Ｔ＋１）、再度ステップＳ４およびＳ６を繰り返す。撒餌収容装置１００の撒餌１０５の残量がゼロになっているか確認し、当該残量がゼロになっている場合、その時の時間Ｔを放出時間と決定する（ステップＳ１７）。そして、出力部１１３はオフのまま、残量検出部１０２をオフとする（ステップＳ１８）。次に、撒餌収容装置１００の本体部１０１が水中にあるか確認し（ステップＳ１９）、水中にある場合は所定時間の経過後それを繰り返す。他方、撒餌収容装置１００の本体部１０１が水中にあるか確認し（ステップＳ１９）、水中にない場合は、出力部１１３をオンにすると共に、出力部１１３において、当該放出時間Ｔを出力する（ステップＳ２０）。なお、ステップ２０において、撒餌１０５の残量がなくなる際の水深および水温とを出力するように構成してもよい。その場合、ステップＳ１７において、水深検出部１１４により水深を測定し、水温検出部１１５により水温を測定するよう構成することができる。なお、これら以外の情報を、出力部１１３に出力するよう構成してもよい。
【００５０】
このようにして、撒餌収容装置１００が水中にある場合、出力部をオフとすることで電力の省力化を行うことができる。また、撒餌収容装置１００が水面よりも上にある場合や残量検出部による撒餌の残量を検出が終了した場合において、残量検出部をオフとすることで電力の省力化を行うことができる。さらに、撒餌がなくなるまでの時間を計測し、出力することで、撒餌が収容された撒餌収容装置を水中に投入する際に予め撒餌がなくなるまでの予測時間をより正確に把握することができるようになる。
【００５１】
次に、図５を参照して、本発明の一実施形態に係る撒餌収容装置１００について説明する。
【００５２】
まず、図１と同様に、図示の撒餌収容装置１００は、投光ユニット１０２２及び受光ユニット１０２１を含む残量検出部１０２、信号処理部１０３、送信部１０４、並びに電源１０６を備える。残量検出部１０２は、蓋１１１に設けられた投光ユニット１０２２と、基底部１１２に設けられた受光ユニット１０２１とを備え、撒餌収容装置１００内における撒餌１０５の残量を検出することができる。信号処理部１０３は、出力部１１３での出力に加えて、必要に応じて、残量検出部１０２により検出された撒餌１０５の残量を示す残量信号を生成し、送信部１０４は、残量信号を外部装置（図示しない）に対して送信するよう構成してもよい。
【００５３】
さらに、本発明の一実施形態に係る撒餌収容装置は、撒餌の重量を測定する撒餌重量測定部１１７と、以前の使用時における撒餌の重量と放出時間とを含む情報（履歴情報）を記憶する記憶部１１８と、当該放出時間を推定する放出時間推定部１１９と、をさらに備え、該放出時間推定部１１９は、測定された撒餌の重量と、前記履歴情報とに基づき当該放出時間の推定値を算出するよう構成される。
出力部１１３には、このようにして算出された放出時間の推定値を表示するように構成することができる。
【００５４】
次に、図６を参照して、撒餌１０５の重量と放出時間Ｔとの関係を示す履歴情報について説明する。図示のように、横軸に撒餌１０５の重量ｍを示し、縦軸に撒餌１０５の放出時間Ｔを示す。そして、図６におけるプロットされた各○は、これまでの撒餌１０５の重量ｍと放出時間Ｔとの関係を示す履歴情報である。このようにして、これまでの履歴情報を蓄積しておくことで、新たに撒餌１０５を収容した撒餌収容装置１００を水中へ投入する場合、投入しようとする撒餌１０５の重量ｍに基づき、想定される予想放出時間Ｔｐを出力することで、予め放出時間の予測をより正確に得ることが可能となる。詳細については図７を参照して説明する。
【００５５】
次に、図７を参照して、本発明の一実施形態に係る撒餌収容装置１００による投入時間出力方法および履歴の追加方法につき説明する。
【００５６】
まず、撒餌収容装置１００を準備する（ステップＳ２０）。次に、撒餌１０５を撒餌収容装置１００に収容する（ステップＳ２１）。そして、本体部１０１へ収容された撒餌１０５の重量ｍを測定する（ステップＳ２２）。次に、図６で説明した撒餌１０５の重量と放出時間Ｔとの関係を示す履歴情報に基づき、予想放出時間Ｔｐを算出する（ステップＳ２３）。そして、当該算出された予想放出時間Ｔｐに基づき、当該Ｔｐを出力する（ステップＳ２４）。その後、撒餌１０５が収容された本体部１０１が水中へ投入されているか確認する（ステップＳ２５）。撒餌１０５が収容された本体部１０１が水中へ投入されていない場合（ステップＳ２５でＮＯの場合）、所定時間の経過後に再度確認し、当該本体部１０１が水中へ投入されるまでこれを繰り返す。撒餌１０５が収容された本体部１０１が水中へ投入された場合（ステップＳ２５でＹＥＳの場合）、当該本体部１０１が水中へ投入された時点（タイミング）を投入時間（Ｔ＝０）とする（ステップＳ２６）。その後、所定時間の経過後に、当該本体部１０１が水中にあるか確認する（ステップＳ２７）。当該本体部１０１が水中にない場合、撒餌収容装置１００に「残量あり」の表示がなされる（ステップＳ２８）。
【００５７】
一方、当該本体部１０１が水中にあるか確認し（ステップＳ２７）、当該本体部１０１が水中にある場合、撒餌収容装置１００の撒餌１０５の残量がゼロになっているか確認する（ステップＳ２８）。当該残量がゼロになっていない場合は、所定時間の経過後（Ｔ＝Ｔ＋１）、再度ステップＳ２７およびＳ２８を繰り返す。撒餌収容装置１００の撒餌１０５の残量がゼロになっているか確認し（ステップＳ２８）、当該残量がゼロになっている場合、その時の時間Ｔを放出時間と決定する（ステップＳ２９）。次に、撒餌収容装置１００の本体部１０１が水中にあるか確認し（ステップＳ３０）、水中にある場合は所定時間の経過後それを繰り返す。他方、撒餌収容装置１００の本体部１０１が水中にあるか確認し（ステップＳ３０）、水中にない場合は、先に決定した放出時間Ｔと、重量ｍを上記履歴情報に追加する（ステップＳ３０）。ここで、当該放出時間Ｔ、重量ｍに加えて、撒餌１０５の残量がなくなる際の水深および水温とを共に履歴情報に追加しても構わない。
【００５８】
このようにして、撒餌の量に変動があった際も、撒餌の放出時間Ｔと重量ｍとの関係を示す履歴情報に基づき、撒餌が収容された撒餌収容装置を水中に投入する際に予め撒餌がなくなるまでの予測時間をより正確に把握することができるようになる。
【００５９】
本発明の実施形態は、上述した実施形態に限定されるものではなく、その要旨を逸脱しない範囲内で様々な変更が可能である。例えば、上述した実施形態における各部材の、材質、形状、寸法、形態、数、又は配置等は適宜変更され得る。例えば、撒餌収容装置内の撒餌の残量を検出する具体的な方法は、本明細書に明示したものに限られない。撒餌の残量の具体的な検出方法は、使用する撒餌の種類に応じて最適な検出方法を用いることができる。
【符号の説明】
【００６０】
１００  撒餌収容装置
１０１  本体部
１０２  残量検出部
１０３  信号処理部
１０４  送信部
１０５  撒餌
１０６  電源
１０７  道糸
１０８  釣り糸
１０９  投入時間決定部
１１０  放出時間測定部
１１１  蓋
１１２  基底部
１１３  出力部
１１４  水深検出部
１１５  水温検出部
１１６  無線送信部
１１７  撒餌重量測定部
１１８  記憶部
１１９  放出時間推定部
１２０  情報出力装置
１２１  受信部
１２２  復調部
１２３  出力部
１０２１  受光ユニット
１０２２  投光ユニット
【図１】
2019180259.tif 000003
【図２】
2019180259.tif 000004
【図３】
2019180259.tif 000005
【図４】
2019180259.tif 000006
【図５】
2019180259.tif 000007
【図６】
2019180259.tif 000008
【図７】
2019180259.tif 000009